(57)【要約】【課題】水回りや給排気設備の設置位置を自由に変更することができ、天上高さを可能な限り高く、或いは階高を可能な限り低くする。【解決手段】その上面３１ａに上面溝３２〜３４（第１の溝）が形成され、その下面３１ｂに換気ダクト２２を収容する下面溝３５，３６（第２の溝）が形成されたＰＣａ床版３１（床スラブ）を複数並設する。ＰＣａ床版３１の上方に床板２７を敷設してＰＣａ床版３１との間に排水管２６の設置スペースＳ１を確保し、ＰＣａ床版３１の下方に天井板２８を設けてＰＣａ床版３１との間に換気ダクト２２の設置スペースＳ２を確保してＳＩ住宅１の床構造３０を構成する。【選択図】図２
2009127214.tif 000002
【特許請求の範囲】
【請求項１】
多層建物の床スラブであって、
上方に敷設される床板との間に排水管の設置スペースを形成するとともに、下方に設けられる天井板との間に換気ダクトの設置スペースを形成し、
前記排水管を収容する第１の溝が上面に設けられ、
前記換気ダクトを収容する第２の溝が下面に設けられたことを特徴とする床スラブ。
【請求項２】
前記第１の溝の底面が勾配を有することを特徴とする、請求項１に記載の床スラブ。
【請求項３】
前記下面が前記第１の溝の底面と同一方向の勾配を有することを特徴とする、請求項２に記載の床スラブ。
【請求項４】
前記第１の溝と第２の溝とが交互に並設されたことを特徴とする、請求項１〜請求項３のいずれか１項に記載の床スラブ。
【請求項５】
複数のプレキャストコンクリート床版によって構成されたことを特徴とする、請求項１〜請求項４のいずれか１項に記載の床スラブ。
【発明の詳細な説明】
【技術分野】
【０００１】
本発明は、多層建物の床スラブに関し、特に、建物の構造体（スケルトン）と内装や設備等の非構造体（インフィル）とが分離して構成されたスケルトン・インフィル（以下、「ＳＩ」と記す）方式を採用した多層建物の床スラブ構造に関する。
【背景技術】
【０００２】
近年、オフィスビルやマンション等では、技術の進歩に伴って高層化が進んでおり、高層化の波は首都圏のみならず地方にも波及している。このような高層建物では、施工の容易化、工期の短縮を図るために、現場で床コンクリートを打設するのではなく、専用工場において予め製造されたプレキャスト（以下「ＰＣａ」と記す）床版を現場に運搬して設置する組立床工法が多く採用されている。
【０００３】
また、近年の高層マンション等では、スケルトン（Ｓ）はそのままで、インフィル（Ｉ）のみを変更することによって、生活様式の変化に伴って間取りや配置の変更を容易にできるようにしたＳＩ方式の多層建物（以下、「ＳＩ住宅」と呼称する）が多く建設されている。ＳＩ住宅では一般に、床構造として二重床が採用され、廊下等に設けられた縦シャフトのパイプスペースと住居内の水回りとを接続する給排水管等は床下に収納される。天井構造としては二重天井が採用され、キッチンや浴室からの換気ダクトやスプリンクラーの給水管、電線等は天井裏に配置されている。
【０００４】
二重床における床スラブと床板との間の配管スペースは、排水管の敷設延長に依ってその必要寸法は異なるが、一般的な集合住宅においては、適正な排水勾配を確保するために３００ｍｍ程度必要となる。また、二重天井における天井板と天井スラブとの間にも、スプリンクラー用の空間としては１５０ｍｍ程度の、換気ダクト用の空間としては２５０ｍｍ程度の設置スペースが必要となる。したがって、二重床や二重天井を採用する場合、天井高さｈ（床板から天井板までの高さ）を確保するためには、階高Ｈ（床スラブ面から１階上の床スラブ面（場合によって「天井スラブ」と呼ぶ）までの高さ）を高くする必要があるが、階高Ｈを高くすると建物の建設コストが上昇し、或いは高さ制限のある建物では建築可能な階数が少なくなるといった問題があった。
【０００５】
そのため、従来では図７（Ａ）に示すように、水回りを廊下側等のパイプスペースに近い位置に配置し、床スラブ５０に段差を設けて水回り領域の床スラブ５０ａをその他の住居領域の床スラブ５０ｂよりも低くすることによって、床板５２と床スラブ５０ａとの間の配管スペースＳ１’を確保するとともに、住居領域の天井板５３ｂを水回り領域の天井板５３ａよりも高くすることによって住居部分の天井高さｈ’を可能な限り高くした段差スラブ方式が実用されている。
【０００６】
また、床スラブをパイプスペースへ向けて自然排水勾配以上に傾斜させることによって、床下に配設された排水管の排水勾配を確保するとともに、天井裏の給排気設備をパイプスペースと反対側の外壁側近傍におけるスペースの大きな天井裏に設けることで、天井ふところを最小限にして階高を低く抑えた建築手法も提案されている（特許文献１）。
【特許文献１】特開２００３−１２９６０２号公報
【発明の開示】
【発明が解決しようとする課題】
【０００７】
しなしながら、従来の段差スラブ工法では、水回りの設定位置は一段下がったスラブの範囲内に制限されてしまう他、この水回り領域の天井スラブ部分では、天井高さが低くなってしまうという問題があった。また、特許文献１に記載の建築手法では、水回りはいずれの位置にも配置可能であるが、給排気設備を設ける位置が外壁側近傍に限定されてしまうため、依然自由な間取り設計を行うことはできなかった。
【０００８】
本発明は、このような背景に鑑みなされたもので、水回りや給排気設備の設置位置を自由に変更することができ、天上高さを可能な限り高く、或いは階高を可能な限り低くすることを目的とする。
【課題を解決するための手段】
【０００９】
上記課題を解決するために、本発明は、多層建物の床スラブにおいて、上方に敷設される床板との間に排水管の設置スペースが形成されるとともに、下方に設けられる天井板との間に換気ダクトの設置スペースが形成され、前記排水管を収容する第１の溝を床スラブの上面に設け、前記換気ダクトを収容する第２の溝を床スラブの下面に設けるように構成する。この場合、前記第１の溝が勾配を有する底面を有するように構成するとよく、且つ、前記下面が前記第１の溝の底面と同一方向の勾配を有するように構成するとよい。更にこのような場合、前記第１の溝と第２の溝とを交互に並設するとよい。また、複数のプレキャストコンクリート床版によって床スラブを構成するとよい。
【発明の効果】
【００１０】
発明によれば、床スラブの第１の溝に給排水の配管等を配置可能となるため、床下の配管スペースを確保しつつ床スラブ上面と床板との間隔を小さくでき、床スラブの第２の溝に換気ダクト等が配置可能となるため、天井裏の配管スペースを確保しつつ床スラブ下面と天井板との間隔を小さくすることができる。したがって、床スラブの下方に配置される天井板から床スラブの上方に配置される床板までの高さを小さくすることができ、同じ階高であれば天井高さを高くし、同じ天井高さを確保するのであれば必要な階高を小さくすることができる。また、床スラブを従来の床スラブと同重量とすれば、従来よりも剛性の高い床スラブを得ることができ、逆に従来の床スラブと同じ剛性を確保するのであれば、床スラブを軽量化することが可能である。更に、床スラブを現場打ちとすれば、個々の建物、フロア、間取り等に応じて、第１および第２の溝を所望の大きさ、配置にすることができる。
【００１１】
また、第１の溝の底面に勾配がつけられことによって、排水管設置スペースが最小限にされるとともに、排水管を第１の溝の底面に沿って配置するだけで排水勾配を確保できるようになり、排水管設置作業が容易となる。また、床スラブの下面に第１の溝の底面と同一方向の勾配がつけられることによって、排水管設置スペースを確保した上で、床スラブの厚さを可能な限り薄くすることができる。更に、第１の溝と第２の溝とが重畳または交差しないように交互に配置されることによって、床スラブ厚の増大を抑えて床スラブの上下に配置される床板と天井板との間の高さを小さくすることができる。また、予め工場等で製作されたプレキャストコンクリート床版部材から床スラブを構成することによって、現場における床版工の作業を簡略化して工期の短縮を図ることができる。
【発明を実施するための最良の形態】
【００１２】
以下、本発明の実施の形態を、図面を参照しながら説明する。
≪実施形態の構成≫
図１は、実施形態に係るＰＣａ床版による床スラブ構造を集合住宅に適用したＳＩ住宅の一戸を示す平面図である。ＳＩ住宅１（多層建物）は複数階に亘る複数の住戸１０から構成されている。各住戸１０は共益部分である廊下２に面しており、縦壁３によってその全周が囲まれている。ＳＩ住宅１の床構造３０は、平行に延在する２本の梁４，５上に複数敷き並べられたプレキャスト床版（以下、「ＰＣａ床版」と略称する）３１を主要構成要素としている。
【００１３】
住戸１０の廊下２に面する縦壁３には、住戸１０への出入り口となる玄関扉６が設けられている。住戸１０の内部は間仕切り壁７によって、玄関扉６に隣接する玄関ホール１１、リビングダイニング１２、キッチン１３、ベッドルーム１４ａ，１４ｂ，１４ｃ、パウダールーム１５、バスルーム１６、トイレ１７に区画されている。住戸１０における廊下２と反対側の面には、バルコニー１８が設けられている。また、廊下２における住戸１０と反対側の面に、各階をシャフト状に連結する上下水管や給湯器が設けられるパイプスペース（以下「ＰＳ」と略称する）１９ａ、同じく電気ケーブルが設けられる電気パイプスペース（以下「ＥＰＳ」と略称する）１９ｂ、各種メータボックスが設けられるボックススペース１９ｃが配置されている。
【００１４】
パウダールーム１５、バスルーム１６およびトイレ１７の天井には、それぞれ換気扇２１ａ，２１ｂ，２１ｃが設けられており、排気を共同住宅外に導くために天井裏に設けられた換気ダクト２２ａにそれぞれ接続されている。また、キッチン１３の調理台の上方には、２つの換気扇２１ｄ，２１ｅが設置されており、同じく換気ダクト２２ｂ，２２ｃに接続されている。
【００１５】
パウダールーム１５の洗面台２３およびバスルーム１６には、給湯器を経由する図示しない給水管が引かれており、各排水は床下に設けられた排水管２６ａに導かれてＰＳ１４内の下水管に放流される。また、トイレ１７に設置された便器２４にもＰＳ１４内の給水管から給水管が直接引かれており、便器２４における排水は別途設けられた排水管２６ｂによってＰＳ１４内の下水管に放流される。更に、キッチン１３のシンク２５の排水は別途設けられた排水管２６ｃによってＰＳ１４内の下水管に放流される。なお、これら排水管２６ａ，２６ｂ，２６ｃには排水勾配がつけられており、排水は自然排水でＰＳ１４まで流れる。
【００１６】
次に、図２を参照して床構造３０について説明する。図２は床構造３０の一部透視斜視図である。床構造３０の構成要素であるＰＣａ床版３１は、専用工場で製作され、施工時に現場に搬入された後、適所に設置されて、接続部のみに場所打ちコンクリートが打設されて建物に一体化される。各ＰＣａ床版３１は、平面視において長方形の輪郭を呈しており、その上面３１ａが水平となるように設置されている。
【００１７】
床構造３０の主要構成要素であるＰＣａ床版３１（床スラブ）の上方には、防振性を有するスペーサ（図示せず）によって確保される排水管２６の設置スペースＳ１を挟んで床板２７が水平に敷設され、ＰＣａ床版３１の下方には、換気ダクト２２の設置スペースＳ２を挟んで階下の住戸１０’の天井板２８が水平に吊設されている。ＳＩ住宅１の床構造３０は、これら複数のＰＣａ床版３１と、床板２７と、天井板２８とによって構成されている。なお、後述するように、排水管２６は上面溝３２〜３４（第１の溝）内に、換気ダクト２２は下面溝３５，３６（第２の溝）内にそのそれ収容可能であるため、床板２７および天井板２８とをＰＣａ床版３１に直張りすることも可能であるが、本実施形態では高音域の騒音の伝達を防止するために、ＰＣａ床版３１と床板２７および天井板２８との間にそれぞれ空間が設けられている。
【００１８】
次に、ＰＣａ床版３１について詳細に説明する。図３はＰＣａ床版の平面図を、図４は図３中のIV−IV矢視図を、図５は図３中のＶ−Ｖ矢視図を、図６は図３のVI−VI矢視図を、図７は図３中のVII−VII矢視図をそれぞれ示している。図６、図７に示すように、ＰＣａ床版３１は、側面視においてその下面３１ｂが約２．５％の傾斜を有するテーパー形状を呈している。したがって、ＰＳ１９ａ側に配置される一端面３１ｅにおけるＰＣａ床版３１の厚さＴ１（上面３１ａから下面３１ｂまでの厚さ）は、他端面３１ｆにおける厚さＴ２よりも厚くなっている。なお、本実施形態では、各ＰＣａ床版３１の長辺寸法は８ｍであり、短辺寸法は２．４ｍである。また、一端面３１ｅにおけるＰＣａ床版３１の厚さＴ１は４００ｍｍであり、他端面３１ｆにおけるＰＣａ床版３１に於けるの厚さＴ２は２００ｍｍである。
【００１９】
ＰＣａ床版３１の上面３１ａには、その長辺と平行に中心線上に延在し、上面３１ａに開口する上面センター溝３２と、長辺側の両側面３１ｃ，３１ｄに沿って稜線を切り欠くように設けられた２本の上面サイド溝３３，３４とが形成されている。より正確には、上面サイド溝３３，３４は、複数のＰＣａ床版３１が並置されたときに、隣接するＰＣａ床版３１の上面サイド溝３３或いは３４と共に上面３１ａに開口する溝を構成する。一方、ＰＣａ床版３１の下面３１ｂには、その長辺と平行に直線状に延在し、下面３１ｂに開口する２本の下面溝３５，３６が形成されている。
【００２０】
これら上下面５本の溝３２〜３６は、平面視において、交互に平行に配置されている。具体的には、下面溝３５は上面センター溝３２と上面サイド溝３３との中間に配置され、下面溝３６は上面センター溝３２と上面サイド溝３４と中間に配置されている。また、溝３２〜３６は平面視において、それぞれの間隔が一定となる配置となっている。なお、以下においては必要に応じ、図２において破線で区切られた符号４１で示す部位を上側フランジと呼称し、同じく破線で区切られた符号４２で示す部位を下側フランジと呼称し、同じく破線で区切られた符号４３で示す部位をリブと呼称する。本実施形態では、上面センター溝３２、下面溝３５，３６の幅は３００ｍｍであり、上面サイド溝３３，３４の幅は５００ｍｍであり、各リブ４３の幅は１２５ｍｍとなっている。
【００２１】
図２に示すように、上面センター溝３２は、底面３２ａと、底面３２ａの両側縁から略垂直に立ち上がる両側面３２ｂ，３２ｃとにより画成され、底面３２ａはＰＣａ床版３１の一端面３１ｅへ向けて約２．５％の下り勾配となっている。また、上面サイド溝３３，３４は、それぞれ底面３３ａ，３４ａと、底面３３ａ，３４ａに於ける長辺側の両側面３１ｃ，３１ｄと反対側の側縁から略垂直に立ち上がる側面３３ｂ，３４ｂとにより画成されている。両上面サイド溝３３，３４の底面３３ａ，３４ａも底面３２ａと同方向、同程度（２．５％）の勾配を有しており、下側フランジ４２の厚さは１５０ｍｍで一定となっている。
【００２２】
一方、両下面溝３５，３６は、図５に示すように、それぞれ底面３５ａ，３６ａと、その両側縁から下方へ略垂直に延在する両側面３５ｂ，３５ｃ，３６ｂ，３６ｃとにより画成されている。各底面３５ａ，３６ａは、ＰＣａ床版３１の上面３１ａと平行平面上に形成されており、ＰＣａ床版３１設置時には水平面をなしている。すなわち、上側フランジ４１の厚さも１５０ｍｍで一定となっており、ＰＣａ床版３１の下面３１ｂの勾配に従って、リブ４３の高さのみが変化している。なお、各溝３２〜３６の側面３２ｂ〜３６ｂおよび３２ｃ〜３６ｃは、工場製作時における脱型容易化の観点から、開口面へ向かって開く若干の傾斜が与えられている。
【００２３】
そして、図２、図４に示すように、上面センター溝３２の内部には、洗面台２３およびバスルーム１６に接続する排水管２６ａが溝３２の底面３２ａに沿って配設され、更に図７に示すように、上面サイド溝３４の内部には、便器２４に接続する排水管２６ｂが上面サイド溝３４の底面３４ａに沿って配設されている。また、図２、図４、図６に示すように、下面溝３６の内部には、換気扇２１ａ，２１ｂ，２１ｃに接続する換気ダクト２２ａが略水平に配設されている。
【００２４】
≪実施形態の作用効果≫
このように、ＰＣａ床版３１はその上面３１ａに上面溝３２〜３４を有しているため、給水管や排水管２６等が上面溝３２〜３４内に配置可能となっている。したがって、床下の排水管２６の設置スペースＳ１を確保しながら、ＰＣａ床版３１の上面３１ａと床板２７との間隔を小さくすることが可能となっている。また、ＰＣａ床版３１はその下面３１ｂに下面溝３５，３６を有しているため、換気ダクト２２やスプリンクラー用の給水管、電気ケーブル等が下面溝３５，３６内に配置可能となっている。したがって、天井裏の換気ダクト２２の設置スペースＳ２を確保した上で、ＰＣａ床版３１の下面３１ｂと天井板２８との間隔を小さくすることが可能となっている。
【００２５】
本実施形態の効果について図８を参照しながら説明する。図８（Ａ）は床スラブ５０に段差を設けた従来のＳＩ住宅の断面図を示しており、図８（Ｂ）は本実施形態によるＳＩ住宅１の断面図を示している。（Ａ）に示すように、従来のＳＩ住宅では、例えば住居領域に２．６ｍの天井高さｈ’を確保するためには、天井高さｈ’に、スラブ厚Ｔ’：０．３ｍ、天井ふところＲ’：０．１５ｍ、床ふところＦ’：０．１５ｍを加えた３．３ｍの階高Ｈ’をとる必要があった。しかしながら、水回り領域の床下に排水管２６を配設し、且つ排水管２６の自然勾配を確保するためには、水回り領域の床スラブ５０ａを住居領域の床スラブ５０ｂよりも低くして、水回り領域の床ふところＦ''を０．３ｍ程度にする必要がある。一方、スラブ厚Ｔ''には住居領域のスラブ厚Ｔ’と同じ厚さが必要であると共に、天井裏に換気ダクト２２を設けるためには天井ふところＲ''を０．２５ｍ程度にする必要があるため、床スラブ５０ａの下方の天井板５３ａから床スラブ５０ａの上方の床板２７までは合計０．８５ｍの高さが必要である。したがって、水回り領域の天井高さｈ''は２．３５ｍになってしまう。
【００２６】
一方、（Ｂ）に示す本実施形態のＳＩ住宅１では、ＰＣａ床版３１の最厚部分のスラブ厚Ｔは従来のＳＩ住宅のスラブ厚Ｔ’よりも厚い０．４ｍとなっているが、排水勾配を確保した上で排水管２６が上面溝３２〜３４内に配置可能であるため、床ふところＦは０．０７ｍ程度にされている。また、換気ダクト２２が下面溝３５，３６内に配置可能であるため、最薄部の天井ふところＲは０．１３ｍ程度にされている。したがって、天井高さｈを２．６ｍとするためには、階高Ｈを従来のＳＩ住宅と同じ３．２ｍにすればよい。そして、床板２７および天井板２８は、住居領域と水回り領域とに関わりなく同一水平面に設けられるため、天井高さｈには住宅内の全域に亘って２．６ｍが確保される。
【００２７】
このように、本実施形態のＳＩ住宅１では、ＰＣａ床版３１の下方の天井板２８からＰＣａ床版３１の上方の床板２７までの高さが住宅全域に亘って小さくなり得るため、同じ階高Ｈであれば天井高さｈを高くし、或いは、同じ天井高さｈを確保するためには必要となる階高Ｈを小さくすることができる。また、ＰＣａ床版３１の下面３１ｂに勾配を設けたことによって、天井ふところＲの大きな領域では、天井板２８に段差を設けることで所望の領域の天井高さｈを更に高くすることが可能となっている。
【００２８】
更に、ＰＣａ床版３１の下面３１ｂの勾配によって、曲げモーメントの大きな梁中間部において必要断面を確保し、廊下２側へ向けて排水管２６の排水勾配を確保した上で、バルコニー１８側のＰＣａ床版３１の厚さを極力薄くして軽量化を図ることが可能となっている。ＰＣａ床版３１の剛性について、本実施形態をモデル化したものと従来のものとの比較結果を図９に示す。
【００２９】
図９は従来技術と本実施形態に関する床版モデルとに等分布荷重を加えたときの撓み量を比較したグラフである。モデル１〜モデル３は、すべて同一のヤング係数を有し、同一幅および同一長さであって、断面形状のみが異なる。モデル１は、全面において厚さが等しい従来の等厚ＰＣａ床版モデルであり、両端における断面Ａ，Ｂが同一形状を呈している。なお、モデル１は、その断面積がモデル２の断面積と等しくなるような厚さに設定されている。モデル２は、全長に亘って断面形状の等しい本実施形態に類似するＰＣａ床版モデルであり、その上面および下面にそれぞれ上面溝および下面溝を備えている。モデル３は、本実施形態に係るＰＣａ床版モデルであり、その上面および下面にそれぞれ上面溝および下面溝を備えるとともに、両端における断面Ａ，Ｂが異なる形状を呈している。具体的には、一端におけるＡ断面はモデル２と同一形状を呈しており、他端におけるＢ断面はＡ断面よりも薄く、上面溝および下面溝の深さがＡ断面よりも浅くなっている。一方、フランジ部の厚さはＡ断面と同一であり、Ｂ断面に近づくほど単位当たり重量が小さくなっている。
【００３０】
図９のグラフに示すように、モデル１およびモデル２では、スパン中央部における撓み量が最大となっており、モデル３では、最大撓み位置は、スパン中央部から、より断面積の小さなＢ断面側に移行している。そして、モデル２は、モデル１と断面積が同じであるにも拘わらず、その最大撓み量はモデル１の１／３程度となっている。一方、モデル３は、その断面積はモデル１よりも小さいが、最大撓み量はモデル１の３／４程度と小さくなっている。
【００３１】
この結果は、本実施形態に係るＰＣａ床版３１が、ＰＣａ床版３１の最大断面積と同じ断面積を全長に亘って有する従来の等厚ＰＣａ床版よりも高い剛性を有することを意味している。なお、本実施形態に係るＰＣａ床版３１については、他のモデル（モデル１、モデル２）よりも軽量となる条件で撓み量を比較しているが、厚さを増して重量が同一となる条件で比較すれば、モデル３よりも当然に撓み量は小さくなり、従来の等厚ＰＣａ床版と比較してグラフに示す比率よりも更に高い剛性が得られることを理解できよう。
【００３２】
したがって、ＰＣａ床版３１では、所定の剛性を確保するために必要な断面積を小さくすることが可能であり、これにより、ＰＣａ床版３１の製造コストや設置コストが低減されるだけでなく、梁４，５や柱の構造をも小さくすることが可能となり、躯体構造全体の軽量化が実現される。
【００３３】
また、上面溝３２〜３４の底面３２ａ〜３４ａに勾配がつけられことによって、一定高さの枕木等を用いて排水管２６を上面溝３２〜３４の底面３２ａ〜３４ａ上に配置するだけで排水勾配を確保できるようになり、排水管設置作業が容易となる。更に、上面溝３２〜３４と下面溝３５，３６とが重畳或いは交差しないように配置されることによって、剛性確保のためのＰＣａ床版３１厚さの増大が抑制され、ＰＣａ床版３１の軽量化を可能にしている。換言すれば、これは、ＰＣａ床版３１の上下に配置される床板２７と天井板２８との間の高さを小さくすることを可能にしている。また、予め工場製作されたＰＣａ床版３１を現場で組み立てて床構造３０を構築することによって、床版工の作業を簡略化して工期の短縮を図ることが可能になっている。
【００３４】
≪変形実施形態≫
次に、図１０〜図１３を参照して変形実施形態に係るＰＣａ床版について説明する。なお、ＰＣａ床版は、上記実施形態と同様に、ＳＩ集合住宅の床構造の主要構成要素をなすものであるが、上記実施形態と同一の構成または機能を有する部材等については、重複する説明を省略する。図１０は変形実施形態に係るＰＣａ床版５１の斜視図であり、図１１はＰＣａ床版５１の平面図であり、図１２は図１１中のXII−XII矢視図であり、図１３は図１１中のＡ，Ｂ，ＣにおけるXIII−XIII矢視図である。ＰＣａ床版５１（床スラブ）は、床構造３０の主要構成要素であって、専用工場で製作されたプレキャストコンクリート床版である。ＰＣａ床版５１は、平面視において長方形の輪郭を呈しており、その上面５１ａが水平となるように設置される。
【００３５】
ＰＣａ床版５１の上面５１ａには、図示しない排水管２６が収容可能な３本の上面溝５２〜５４（第１の溝）がＰＣａ床版５１の長辺と平行に等間隔に形成されている。また、ＰＣａ床版５１の下面５１ｂにおける、平面視においてこれら上面溝５２〜５４に整合する位置には、図示しない換気ダクト２２が収容可能な３本の下面溝５５〜５７（第２の溝）が形成されている。換言すれば、ＰＣａ床版５１は、図１０および図１３において破線で区切られ符号６２で示された４つのリブと、同じく破線で区切られて符号６１で示され、４つのリブ６２を連結する３つのフランジ６１とから構成されている。
【００３６】
図１２に示すように、ＰＣａ床版５１は、一端面５１ｅおよび他端面５１ｆにおいて同じ厚さＴ３を有している。３つの上面溝５２〜５４は、同一形状を呈しており、それぞれ一端面５１ｅにおいてその深さが最も大きく、他端面５１ｆにおいてその深さは０となっている。つまり、各上面溝の底面５２ａ〜５４ａには、他端面５１ｆから一端面５１ｅに向けて所定の下り勾配がついている。一方、３つの下面溝５５〜５７も、同一形状を呈し、それぞれ他端面５１ｆにおいて最も深く、一定勾配で溝が浅くなり、一端面５１ｅにおいてその深さは０となっている。したがって、３つのフランジ６１は、全断面において同厚の平板形状を呈し、一端５１ｅにおいてリブ６２の最下部に位置し、他端５１ｆにおいてリブ６２の最上部に位置している。
【００３７】
本変形実施形態のＰＣａ床版５１の剛性について図１４を参照して説明する。図１４は変形実施形態のＰＣａ床版に係るモデルと更なる変形態様のモデルとの撓み量を示すグラフである。モデル４およびモデル５は、同一のヤング係数を有し、同一幅、同一断面積および同一長さであって、断面形状のみが異なる。モデル４は、その上面および下面にそれぞれ上面溝および下面溝を備えるとともに、全断面においてフランジの位置がリブの中央（上面溝および下面溝の深さが同じ）である更なる変形実施形態に係るＰＣａ床版モデルである。モデル５は、本変形実施形態に係るＰＣａ床版モデルであり、その上面および下面にそれぞれ上面溝および下面溝を備えるとともに、フランジの位置がリブの最下部から最上部へ徐々に変化するものである。具体的には、一端（Ａ断面）において上面溝の深さが０で、下面溝の深さが最大であり、他端（Ｂ断面）において上面溝の深さ最大で、下面溝の深さが０となっている。
【００３８】
図１４のグラフに示すように、モデル４およびモデル５ともに、その長さの中央部における撓み量が最大となっている。しかしながら、両モデルの厚さおよび断面積は同一（重量も同一）であるのにも拘わらず、モデル５の最大撓み量はモデル４の２／３程度となっている。すなわち、本変形実施形態に係るＰＣａ床版３１は、その両端面５１ｅ，５１ｆ付近においてフランジの位置が上か下に偏っていることにより、断面形状の変化しないＨ型のＰＣａ床版よりも高い剛性を有している。したがって、ＰＣａ床版５１では、所定の剛性を確保するために必要な断面積を小さくすることが可能であり、これにより、上記実施形態と同様に、ＰＣａ床版５１の製造コストや設置コストが低減されるだけでなく、躯体構造全体の軽量化が実現される。
【００３９】
以上で具体的実施形態についての説明を終えるが、本発明はこれらの実施形態に限定されるものではない。例えば、床スラブはＰＣａ床版によって構成されているが、例えば石材等、コンクリート以外の材料によって形成された床版によって構成されてもよく、また、床スラブとして工場製作された部材を用いる必要はなく、現場で組み立てられた支保工および型枠に直接打設された場所打ちコンクリートであってもよい。また、ＰＣａ床版の平面形状は長方形である必要はなく、台形や扇形等その他の形状であってもよい。更に、ＰＣａ床版の厚さがテーパー状に変化するのではなく、一定厚さであったり、上下のフランジ部の厚さが変化したりする態様であってもよい。同様に、上面溝および下面溝についても、水平および傾斜のいずれの態様に形成されてもよい。また、床上下面の溝は直線状である必要はなく、排水管や換気ダクトの全体または一部を収容するものであれば如何なる平面配置でもよく、断面形状についても矩形に限定されるものものではなく、台形や円弧、Ｖ字形状等、様々な形態を採用することができる。上記した各変更実施形態の他、更に本発明の趣旨を逸脱しない範囲であれば適宜変更可能である。
【図面の簡単な説明】
【００４０】
【図１】実施形態に係るＰＣａ床版を適用したＳＩ住宅の平面図
【図２】実施形態に係る床構造を一部透視して示す斜視図
【図３】実施形態に係るＰＣａ床版の平面図
【図４】図３中のIV−IV矢視図
【図５】図３中のＶ−Ｖ矢視図
【図６】図３中のVI−VI矢視図
【図７】図３中のVII−VII矢視図
【図８】従来技術と実施形態に係るＳＩ住宅の比較断面図
【図９】従来技術と実施形態に関する床版モデルの撓み量を比較したグラフ
【図１０】変形実施形態に係るＰＣａ床版の斜視図
【図１１】ＰＣａ床版の平面図
【図１２】図１１中のXII−XII矢視図
【図１３】図１１中のＡ，Ｂ，ＣにおけるXIII−XIII矢視図
【図１４】変形実施形態に関する床版モデルの撓み量を示すグラフ
【符号の説明】
【００４１】
１      ＳＩ住宅（多層建物）
１０    住戸
１９ａ  ＰＳ
１９ｂ  ＥＰＳ
１９ｃ  ボックススペース
２１    換気扇
２２    換気ダクト
２３    洗面台
２４    便器
２５    シンク
２６    排水管
２７    床板
２８    天井板
３０    床構造
３１，５１    ＰＣａ床版（床スラブ）
３１ａ，５１ａ  上面
３１ｂ，５１ｂ  下面
３２    上面センター溝
３３，３４  上面サイド溝
３５，３６  下面溝
５２，５３，５４  上面溝（第１の溝）
５５，５６，５７  下面溝（第２の溝）
Ｓ１    排水管の設置スペース
Ｓ２    換気ダクトの設置スペース
【図１】
2009127214.tif 000003
【図２】
2009127214.tif 000004
【図３】
2009127214.tif 000005
【図４】
2009127214.tif 000006
【図５】
2009127214.tif 000007
【図６】
2009127214.tif 000008
【図７】
2009127214.tif 000009
【図８】
2009127214.tif 000010
【図９】
2009127214.tif 000011
【図１０】
2009127214.tif 000012
【図１１】
2009127214.tif 000013
【図１２】
2009127214.tif 000014
【図１３】
2009127214.tif 000015
【図１４】
2009127214.tif 000016